【手続補正書】
【提出日】平成17年8月24日(2005.8.24)
【手続補正１】
【補正対象書類名】明細書
【補正対象項目名】全文
【補正方法】変更
【補正の内容】
【書類名】            明細書
【発明の名称】    空気調和機
【特許請求の範囲】
【請求項１】
熱交換器および送風機を支持して室内の壁面に固定されるベースと、
少なくとも上記熱交換器を覆うように上記ベースに取り付けられるパネルとを含む室内機筐体を備え、
上記パネルには、上記熱交換器と対向する部位に空気吸込部が形成され、上記送風機の下流側に空気吹出部が設けられているとともに、上記空気吸込部と上記熱交換器との間に空気中のゴミを捕らえる除塵手段が配置されている空気調和機において、
上記除塵手段として、フィルタと、上記フィルタを往復移動させるフィルタ移動手段と、上記フィルタ上に付着したゴミを掻き取るゴミ取り部と、ゴミを回収するゴミ回収箱とを備え、
上記ゴミ取り部は、上記フィルタの移動方向に対してほぼ直交する方向に往復的に移動し上記フィルタ上のゴミを掻き取るゴミ取りブラシを有することを特徴とする空気調和機。
【請求項２】
上記ゴミ回収箱のいずれか一方の端部には、上記フィルタから掻き出されたゴミを保管するゴミ保管部が設けられている請求項１に記載の空気調和機。
【請求項３】
上記ゴミ保管部は、抗菌処理および／または防かび処理が施されている請求項２に記載の空気調和機。
【請求項４】
上記ゴミ回収箱内に堆積したゴミを上記ゴミ保管部に移動するゴミ移動ブラシが設けられている請求項１，２または３に記載の空気調和機。
【請求項５】
上記下部ゴミ取りブラシと上記ゴミ移動ブラシとは、移動方向に所定距離ずらされた位置に設けられており、上記ゴミ取りブラシに対して上記下部ゴミ移動ブラシは、上記ゴミ保管部よりも遠方に設けられている請求項２，３または４に記載の空気調和機。
【請求項６】
フィルタの表裏それぞれにブラシを配置し、いずれか一方のブラシが上記ゴミ回収箱の一端側に配置されている場合、いずれか他方のブラシが上記ゴミ回収箱の他端側に配置されており、それらが互いに相反する方向に移動する請求項１ないし５のいずれか１項に記載の空気調和機。
【請求項７】
少なくとも上記フィルタ移動手段、上記ブラシを駆動するブラシ駆動手段および上記送風機の運転を制御する制御手段が設けられており、上記制御手段は、上記ブラシ駆動手段の運転中は、上記フィルタ移動手段と上記送風機の運転を停止し、上記フィルタ移動手段の運転中は、上記ブラシ駆動手段と上記送風機の運転を停止する請求項１ないし６のいずれか１項に記載の空気調和機。
【請求項８】
上記制御手段は、上記ブラシが上記フィルタから外れた位置において上記フィルタ移動手段の運転を開始する請求項７項に記載の空気調和機。
【請求項９】
上記パネルには、上記フィルタを上記室内機筐体から外に出すための引出部が設けられており、上記引出部は、上記フィルタの移動に応じて開閉する開閉扉からなる請求項１ないし８のいずれか１項に記載の空気調和機。
【発明の詳細な説明】
【０００１】
【発明の属する技術分野】
本発明は、フィルタに付着したゴミを自動的に除去する機能を備えた空気調和機に関し、さらに詳しく言えば、回収したゴミを長期間保管することができる空気調和機に関する。
【０００２】
【従来の技術】
空気調和機（室内ユニット）の空気吹出口には、空気中のゴミを除去するフィルタが設けられている。フィルタには空調の運転時間に比例してゴミが堆積し、その量が多くなると熱交換効率が低下するため、適宜フィルタを清掃する必要がある。
【０００３】
一般的には、特許文献１のように着脱式のエアフィルタを備え、顧客の手によってフィルタを室内機筐体から取り外して例えば手洗いなどによりゴミを除去した後、再びフィルタを手動で室内機筐体に装着するようにしていた。
【０００４】
しかしながら、通常の空気調和機は、部屋の高所に設置されているため、高齢者や女性にとってはフィルタの着脱が困難であるため、清掃作業が敬遠されやすいという問題があった。
【０００５】
そこで、例えば特許文献２や特許文献３に示すようなフィルタを自動的に清掃する清掃装置付き空気調和機の提案がなされた。
【０００６】
しかしながら、特許文献２では、平板状のフィルタに沿ってブラシを水平方向に移動させながら、フィルタ上に付着した埃を擦り落とす方法を採用しているため、適用が平板状のフィルタに限られる。特に、最近の空気調和機のフィルタは、筐体の小型化に伴い、フィルタ面を湾曲したり、折り曲げたりして収納されているため、この特許文献２では対応できない。
【０００７】
特許文献３においては、回転ローラによって空気調和機の外部にフィルタを引き出し、室外機上部に予め設置された吸引筒と吸込パイプからフィルタ上に付着しゴミを吸引した後、再びフィルタを空気調和機の所定場所に戻すというものであり、この方法では、吸引筒と吸込パイプを筐体の外に別途設けなければならず、室内機としての意匠性も欠く。
【０００８】
さらに、フィルタから除去したゴミを収納する方法にあっては、例えば特許文献４に示されているように、巻き取り式の円筒状ローラ間にフィルタを張設し、フィルタ上に付着したゴミをフィルタの巻き上げ動作とともに除去する方法がある。
【０００９】
しかしながら、この特許文献４の場合、フィルタに付着したゴミをフィルタを一緒に巻き上げてフィルタ収納部内に収納するため、フィルタは使い捨てとなり、しかも大量に巻き付けておかねばならず、結局コスト高となって顧客に負担をかける結果となっていた。また、フィルタ収納部を筐体の両側に設けなくてはならず、室内機全体の寸法が大きくなり、小型化に反するという問題もあった。
【００１０】
【特許文献１】
特開平１１−１５９８５４号公報
【特許文献２】
実開平４−３３９１６号公報
【特許文献３】
実開平４−５０３２０号公報
【特許文献４】
特開平３−１２２４２２号公報
【００１１】
【発明が解決しようとする課題】
そこで、本発明は、上述した問題点を解決するため、フィルタ表面上に付着したゴミを自動的に除去するとともに、除去したゴミを長期間保管でき、しかも簡単に回収することができる空気調和機を提供することにある。
【００１２】
上述した課題を解決するため、本発明は、熱交換器および送風機を支持して室内の壁面に固定されるベースと、
少なくとも上記熱交換器を覆うように上記ベースに取り付けられるパネルとを含む室内機筐体を備え、
上記パネルには、上記熱交換器と対向する部位に空気吸込部が形成され、上記送風機の下流側に空気吹出部が設けられているとともに、上記空気吸込部と上記熱交換器との間に空気中のゴミを捕らえる除塵手段が配置されている空気調和機において、
上記除塵手段として、フィルタと、上記フィルタを往復移動させるフィルタ移動手段と、上記フィルタ上に付着したゴミを掻き取るゴミ取り部と、ゴミを回収するゴミ回収箱とを備え、
上記ゴミ取り部は、上記フィルタの移動方向に対してほぼ直交する方向に往復的に移動し上記フィルタ上のゴミを掻き取るゴミ取りブラシを有することを特徴としている。
【００１３】
これによれば、フィルタを送り出しながら、ゴミ取りブラシを往復運動させることで、フィルタ上に付着したゴミをまんべんなく除去することができる。
【００１４】
より好ましい態様として、上記ゴミ回収箱のいずれか一方の端部には、上記フィルタから掻き出されたゴミを収納するゴミ保管部が設けられており、より好ましくは、上記ゴミ保管部には、抗菌処理および／または防かび処理が施されている。これによれば、ゴミ回収箱に掻き落とされたゴミを簡単に回収することができる。
【００１５】
上記ゴミ回収箱内に堆積したゴミを上記ゴミ保管部に移動するゴミ移動ブラシが設けられている。
【００１６】
より好ましい態様として、上記下部ゴミ取りブラシと上記ゴミ移動ブラシとは、移動方向に所定距離ずらされた位置に設けられており、上記下部ゴミ取りブラシに対して上記ゴミ移動ブラシは、上記ゴミ保管部よりも遠方に設けられていることが好ましい。
【００１７】
これによれば、ゴミ回収箱内に堆積したゴミをゴミ保管部に移動させることができ、さらに、ゴミ移動ブラシが下部ゴミ取りブラシの後ろを追従して移動するため、移動中にゴミ回収箱内に堆積するゴミを確実にゴミ保管部に移動することができる。
【００１８】
フィルタの表裏それぞれにブラシを配置し、いずれか一方のブラシが上記ゴミ回収箱の一端側に配置されている場合、いずれか他方のブラシが上記ゴミ回収箱の他端側に配置されており、それらが互いに相反する方向に移動する。
【００１９】
少なくとも上記フィルタ移動手段、上記ブラシを駆動するブラシ駆動手段および上記送風機の運転を制御する制御手段が設けられており、上記制御手段は、上記ブラシ駆動手段の運転中は、上記フィルタ移動手段と上記送風機の運転を停止し、上記フィルタ移動手段の運転中は、上記ブラシ駆動手段と上記送風機の運転を停止する。
【００２０】
これによれば、ゴミの掻き取り作業中およびフィルタの移動中に送風機によってゴミが吹き飛ばされることなく、また、ゴミ取り作業とフィルタ移動作業とが個別に行われるため、ゴミ取り作業の完璧性を期すことができる。
【００２１】
上記制御手段は、上記ブラシが上記フィルタから外れた位置において上記フィルタ移動手段の運転を開始することにより、フィルタの送り出し用に安価な低トルク型の小型モータを使用しても、確実にフィルタを送り出すことができる。
【００２２】
室内機筐体の寸法を必要以上に大きくせず、かつ、フィルタの移動の際の筐体へのぶつかりを防止するため、上記パネルには、上記フィルタを上記室内機筐体から外に出すための引出部が設けられており、上記引出部は、上記フィルタの移動に応じて開閉する開閉扉からなることが好ましい。
【００２３】
【発明の実施の形態】
次に、本発明の実施形態について図面を参照しながら説明する。図１は、本発明の一実施形態に係る空気調和機の分解斜視図であり、図２は、その要部断面図である。
【００２４】
この空気調和機１（室内機）の筐体２は、熱交換器３および送風機４を支持して室内の壁面に固定されるベース２１と、少なくとも熱交換器３を覆うようにベース２１に取り付けられるパネル２２とを備えている。ベース２１およびパネル２２は、ともに合成樹脂の成型品からなる。
【００２５】
ベース２１は、壁面に沿ってほぼ平行な設置面２１０を有し、設置面２１０の両側には、前方に向けて張り出すように形成された左右一対の側板２１１，２１２が設けられている。その側板２１１，２１２間に熱交換器３および送風機４が支持されている。
【００２６】
この実施形態において、ベース２１の各側板２１１，２１２と熱交換器３との間には、熱交換器３の端部から突出する冷却パイプのヘアピン部を保護するための空間が形成されており、一方の空間（図１では左側）には、後述する除塵手段の一部を構成するゴミ保管部５５が収納され、他方の空間（図１では右側）には、制御用の電装品箱７が収納されている。
【００２７】
ベース２１の内面側、すなわち反壁面側には、ベース２１側に配置された背面側熱交換器３２の結露水を受け止めるドレン溝２１３と、送風機４から空気吹出口２５に向けて空気を吹き出す空気通路２４の一部を構成する送風ガイド面２１４とが一体的に設けられている。ベース２１の底面には、ドレンパイプや電源コードなどの各種配管類２６が収納されている。
【００２８】
ベース２１には、フィルタ６の後端６ｂをベース２１と壁面との間に形成されたフィルタ収納スペースＳ１に引き込むためのフィルタ案内溝６１が設けられている。フィルタ案内溝６１は、フィルタ６の幅方向に沿ってほぼ平行に開口されたスリット状の孔からなり、ベース２１のフィルタ６の移動軌跡上に開口されている。
【００２９】
フィルタ収納スペースＳ１は、少なくともゴミ取り部５からフィルタ６のパネル２２前面側の一旦６ａに至るまでの長さ（図２では、ゴミ取り部５よりも左側の長さ）を受け入れ可能なスペースに形成されている。
【００３０】
この実施形態において、ベース２１の背面のドレン溝２１３と送風ガイド面２１４との間に位置する場所には、リブ２１５が所定間隔を持って複数立設されているが、このリブ２１５は、ベース２１の補強用としてだけでなく、フィルタ６のガイド機能も兼ねている。
【００３１】
パネル２２は、ベース２１の上端部から前方（反壁面方向）に向かって張り出され、先端が少なくとも熱交換器３を覆うように下方に延在された逆Ｌ字状を呈し、その前面および上面には、筐体２内に空気を取り込むための空気吸込部２２１が設けられている。
【００３２】
図２に示すように、パネル２２前面の下端側には、フィルタ６の先端６ａを筐体２外へと排出するための開閉扉６２が設けられている。この開閉扉６２は、一端が開閉可能に軸支され、自由端側がフィルタ６の移動に応じて開閉される。この実施形態において、開閉扉６２は、図示しないバネ手段により常に閉じる方向（図２において反時計方向）にバネ付勢されている。
【００３３】
パネル２２の下端側と空気吹出部２５との間には、前面側熱交換器３１によって生成されたドレン水を受け止めるドレンパン２３が設けられている。この実施形態において、ドレンパン２３は、ベース２１の側板２１１，２１２間に架け渡され、支持されている。
【００３４】
ドレンパン２３は、熱交換器３の幅とほぼ同じ幅を有する樋状に形成され、底板２３１が送風機４を挟んで対向する送風ガイド面２１４とともに空気通路２４を形成し、この空気通路２４の下流側に空気吹出部２５が設けられている。
【００３５】
空気吹出部２５は、筐体２の下部に形成されており、その内部には空気の上下の吹出方向を変える上下風向板２５１と、左右の吹出方向を変える左右風向板２５２とが設けられている。
【００３６】
次に、筐体２内部の構成について説明する。筐体２内には、熱交換器３、送風機４、ゴミ取り部５およびフィルタ６がそれぞれ所定位置に配置されている。
【００３７】
図２に示すように、熱交換器３は、２つの熱交換器ユニットを上下に連結した前面側熱交換器３１と、１つの熱交換器ユニットからなる背面側熱交換器３２とを頂部の連結板３３を介してほぼΛ（ラムダ）型に連結したものからなり、これら前面側熱交換器３１および背面側熱交換器３２は、ベース２１の側板２１１，２１２に支持されている。
【００３８】
送風機４は、空気通路２４の上流側に配置されたクロスフローファンからなり、熱交換器３と同じくベース２１の左右の側板２１１，２１２間に支持されている。この送風機４を駆動することで、パネル２２の前面および上面の空気吸込部２２１から空気が吸い込まれ、フィルタ６を通って除塵された後、熱交換器３で所定温度に調温され、空気吹出部２５から室内に向けて吹き出される。
【００３９】
熱交換器３の頂部近傍には、ゴミ取り部５が配置されている。図３を併せて参照して、ゴミ取り部５は、フィルタ６を挟み込むように架け渡されたゴミ回収箱５１と、ゴミ回収箱５１内を往復的に移動する一対のスライダー５２，５３と、同スライダー５２，５３をスライドさせるスライダー駆動手段５４と、ゴミ回収箱５１の一端側（図１では左側）に取り付けられたゴミ保管部５５とを備えている。
【００４０】
ゴミ回収箱５１は、フィルタ６を挟んで上方に配置される上部レーン５１１と、フィルタ６を挟んで下方に配置される下部レーン５１２とを有し、図１に示すように、各レーン５１１，５１２は、少なくともフィルタ６の幅（この実施形態では２枚分）よりも長く形成され、ベース２１の側板２１１，２１２に架け渡されている。
【００４１】
上部レーン５１１および下部レーン５１２は、それぞれ断面コ字状の合成樹脂製レールからなり、それらを互いに向かい合わせることにより、内部に中空なレール空間が形成されている。
【００４２】
各レーン５１１，５１２の長さ方向に沿った合わせ面間には、フィルタ挿通部としての開口溝５１３，５１４が少なくともフィルタ６の幅よりも広幅に開口されており、各開口溝５１３，５１４は、フィルタ６の移動軌跡上に設けられている。
【００４３】
開口溝５１３，５１４の各端縁には、フィルタ６に向けて突設する図示しないゴム片が設けられており、このゴム片によってゴミ回収箱５１内で掻き取られたゴミが外部に持ち出されるのを防止している。
【００４４】
この実施形態では、ゴミの漏洩防止用としてゴム片が用いられているが、これ以外に、例えばフィルタ６の移動に応じて開閉する可動式のスクレーパを用いてもよい。
【００４５】
図３および図４に示すように、上部レーン５１１の内側面には、スライダー５２を所定方向にスライドさせるためのガイド役となる一対のガイドレール５１５，５１６が上部レーン５１１の延在方向に沿って互いに平行に設けられている。図５に示すように、スライダー５２には、ガイドレール５１５，５１６が係合するスライド溝５２３，５２４が形成されている。
【００４６】
同様に下部レーン５１２の内側面にもスライダー５３をスライドさせるためのガイド役となる一対のガイドレール５１７，５１８が下部レーン５１２の延在方向に沿って平行に設けられており、ガイドレール５１７，５１８に係合するスライダー５３にもスライド溝５３３，５３４が形成されている。
【００４７】
この空気調和機１は、各スライダー５２，５３をスライドさせるスライダー駆動手段５４を備えている。図６に示すように、スライダー駆動手段５４は、ゴミ回収箱５１の一端側に配置された駆動輪５４１およびその反対側に配置された従動輪５４２と、駆動輪５４１と従動輪５４２とに環状に架け渡された駆動ベルト５４３とから構成されている。
【００４８】
図３（ａ）に示すように、駆動輪５４１は、ゴミ回収箱５１の一端側に回転可能に軸支されており、その回転軸には、駆動用のモータＭが連結されており、モータＭの動力が駆動輪５４１を介して駆動ベルト５４３に伝達される。
【００４９】
この例において、従動輪５４２は、上下一対として上部レーン５１１および下部レーン５１２にそれぞれ所定間隔を持って軸支されているが、駆動輪５４１と同様に１つの従動輪であってもよい。
【００５０】
駆動ベルト５４３は、例えばワイヤーなどの紐体からなり、駆動輪５４１および従動輪５４２に一定の張力を持って張設されている。なお、駆動ベルト５４３は例えばゴムなどの弾性体から構成されていてもよく、その材質や形状は特に限定されない。この駆動ベルト５４３に各スライダー５２，５３が取り付けられる。
【００５１】
図３〜図６に示すように、一方のスライダー５２（以下、上スライダー５２とする）は、フィルタ６を挟んで上方の上部レーン５１１側に配置され、他方のスライダー５３（以下、下スライダー５３）は、フィルタ６を挟んで下側の下部レーン５１２側に配置される。
【００５２】
上スライダー５２は、駆動ベルト５４３に一体的に取り付けられるスライダー本体５２１と、同スライダー本体５２１の下面からフィルタ６に向けて所定量のブラシ毛が植え付けられた上部ゴミ取りブラシ５２２とを備えている。
【００５３】
この実施形態において、上部ゴミ取りブラシ５２２はスライダー本体５２１の幅方向に沿って多数のブラシ毛が植設された毛ブラシからなるが、ブラシの形状や長さなどは特に限定されない。
【００５４】
下スライダー５３は、図３（ａ）に示すように、駆動ベルト５４３に一体に取り付けられるスライダー本体５３１と、同スライダー本体５３１の上面側からフィルタ６に向けて植設された下部ゴミ取りブラシ５３２と、同スライダー本体５３１の下面側から下部レーン５１２の底面に向けて植設されたゴミ移動ブラシ５３５とを備えている。
【００５５】
図３（ｂ）に示すように、下部ゴミ取りブラシ５３２とゴミ移動ブラシ５３５とは、移動方向に所定距離ずらされた位置に設けられており、ゴミ取りブラシ５３２に対してゴミ移動ブラシ５３５は、ゴミ保管部５５よりも遠方に設けられている。また、スライダー本体５３１の下部ゴミ取りブラシ５３２とゴミ移動ブラシ５３５との間には、板厚方向に貫通する貫通孔５３６が開口されている。
【００５６】
これによれば、ゴミ移動ブラシ５３５がゴミ取りブラシ５３２の後ろを追従して移動するため、ゴミ取りブラシ５３２によってフィルタ６から掻き落とされたゴミは、貫通孔５３６を通って下部レーン５１２の底面に落とされ、追従するゴミ移動ブラシ５３５によってゴミ保管部５５に掻き落とすことができる。
【００５７】
この実施形態において、各スライダー本体５２１，５３１は、それぞれ駆動ベルト５４３に直付けされているが、駆動ベルト５４３との間に引張バネなどの張力調節手段を介して接続してもよく、これによれば、常に一定の張力で支持することができる。
【００５８】
駆動ベルト５４３を往復回転させることにより、上下の各スライダー５２，５３が互いに相反する方向に移動する。このとき、掻き取られたゴミは、一旦ゴミ回収箱５の下部レーン５１２の底面に落ちた後、ゴミ移動ブラシ５３５によってゴミ保管部５５に掻き落とされる。
【００５９】
ゴミ保管部５５は、例えば合成樹脂などの成型品からなり、ベース２１に着脱自在に取り付けられている。この実施形態において、ゴミ保管部５５は、ゴミを長期間保管しておくために、抗菌処理および／または防かび処理が施されている。
【００６０】
この実施形態において、ゴミ保管部５５は、樹脂の成型品によって構成されているが、これ以外に真空掃除機などに用いられる紙製の袋体を使用できるようにしてもよく、ゴミが長期間保管できるものであれば、その形状や素材などは特に限定されない。
【００６１】
フィルタ６は、格子状のフレーム内に網状のフィルタ面が一体成型された合成樹脂製の湾曲可能なものからなり、熱交換器３の前面から頂部を経て上面を覆うように、この実施形態では２枚設けられている。
【００６２】
フィルタ６，６は、例えばポリプロピレンなどのベース樹脂からなるが、このベース樹脂に例えば導電性樹脂などの帯電防止剤をさらに添加してもよく、さらには、防かび剤や抗菌剤などを添加してもよい。なお、この実施形態では、フィルタ６は樹脂の成型品からなるが、この限りではない。
【００６３】
図１および図２に示すように、ゴミ回収箱５１のフィルタ移動方向の前後には、フィルタ６を間欠的に往復移動させるフィルタ送り手段８が設けられている。フィルタ送り手段８は、図示しない制御部によって制御されるモータによって駆動され、その回転軸８１，８１にはフィルタ６のフィルタ面に接触してフィルタ６を所定方向に送り出すための駆動輪８２が、所定間隔をもって複数設けられている。
【００６４】
駆動輪８２は、例えばゴムなどの高摩擦体からなり、フィルタ６面に対するグリップ力を増すため凹凸処理が施されていることが好ましい。駆動輪８２のフィルタ６を挟んだ対向位置には、駆動輪８２に対して対となる従動ローラ８３が設けられている。
【００６５】
この実施形態において、図２に示すように、駆動輪８２のゴミ回収箱５１を挟んだ対向位置にも上下一対の従動ローラ８４がさらに設けられており、フィルタ６の送り精度が高められている。
【００６６】
次に、この空気調和機１のフィルタ６の清掃手順の一例について説明する。各スライダー５２，５３は、図４に示すように上スライダー５２が左側端部に配置され、下スライダー５３が右端部に配置された状態を初期位置とする。まず、リモコンなどに設けられたフィルタ清掃ボタンを操作すると、図示しない制御部は、最初に送風機４の送風を停止させるとともに、フィルタ移動手段８も同時に停止させる。
【００６７】
送風機４、フィルタ移動手段８の停止を確認した後、制御部はスライダー駆動手段５４に指令を出し、初期位置で待機中の各スライダー５２，５３を反初期位置に向けてスライドさせフィルタ６を清掃する。反初期位置に移動したスライダー５２，５３は、フィルタ６から上部、下部ゴミ取りブラシ５２２，５３２が一旦フィルタ面から外れる。
【００６８】
このとき、ゴミ回収箱５１の反初期位置側にはゴミ保管部５５が設けられており、上部、下部ゴミ取りブラシ５２２，５３２の清掃と同時に下部レーン５１２の底部に堆積したゴミをゴミ移動ブラシ５３５によってゴミ保管部５５に送り出す。
【００６９】
スライダー５２，５３がフィルタ６から外れると、スライダ移動手段を停止させ、制御部はフィルタ送り手段８に指令を出し、フィルタ６を所定長さだけ送り出す。
【００７０】
ここで、フィルタ６の送り出し量は、各ゴミ取りブラシ５２２，５３２のブラシ幅に相当する量が送り出されることが好ましいが、より清掃効率を高めるためには、ブラシ幅よりも若干短く設定し、ゴミ取りブラシ５２２，５３２の接触面積を増やすことが好ましい。
【００７１】
これによれば、各スライダー５２，５３がフィルタ６から外れた段階でフィルタ送り手段８によってフィルタ６が送り出されるため、フィルタ６の送り出し用に安価な低トルク型の小型モータを使用しても、確実にフィルタ６を送り出すことができる。
【００７２】
フィルタ６の送り出しが終了すると、制御部は再びスライダー駆動手段５４に指令を出し、反初期位置で待機中の各スライダー５２，５３を初期位置に向けてスライドさせるとともに、フィルタ６を各ゴミ取りブラシ５２２，５３２によって清掃する。
【００７３】
１レーン分の清掃を終えると、制御部は、再びフィルタ送り手段８によってフィルタ６を所定長さ送り出す。この一連の動作をフィルタ６を往復移動させながら繰り返し行うことにより、フィルタ６の全面を清掃する。
【００７４】
フィルタ６の清掃が終わると、制御部は、まず、フィルタ移動手段８に指令を送り、フィルタ６を初期位置まで移動させる。次に、スライダー駆動手段５４に指令を出し、待機中の各スライダー５２，５３を一旦初期位置から反初期位置に向けてスライドさせ下部レーン５１２の底部に溜まったゴミをゴミ収納部５５に送り出した後、各スライダー５２，５３を初期位置まで引き戻す。これにより、一連の清掃作業が終了する。
【００７５】
【発明の効果】
以上説明したように、本発明によれば、フィルタの送り方向に対してほぼ直交する方向にフィルタを挟み込むように架け渡されたゴミ回収箱と、ゴミ回収箱内を往復的に移動する一対のスライダーと、各スライダーをゴミ回収箱内で移動させるためのスライダー駆動手段とを含み、各スライダーには、フィルタの表面および裏面に接触して、上記フィルタ上のゴミを掻き取るゴミ取りブラシが設けられていることにより、フィルタを間欠的に送り出すとともに、フィルタの停止時にスライダーを往復移動させることで、モータに負荷を掛けることなく、確実にフィルタを清掃することができる。
【図面の簡単な説明】
【図１】
本発明の一実施形態に係る空気調和機の分解斜視図。
【図２】
上記実施形態の空気調和機の断面図。
【図３】
ゴミ回収箱の内部構造を説明する部分断面斜視図。
【図４】
ゴミ回収箱の内部構造を説明する部分断面斜視図。
【図５】
ゴミ回収箱とスライダーの係止状態を説明する説明図。
【図６】
ゴミ回収箱の構造を説明する断面図。
【符号の説明】
１  空気調和機
２  筐体
２１  ベース
２１１，２１２  側板
２２  パネル
２２１  空気吸込部
２４  空気通路
２５  空気吹出部
３  熱交換器
４  送風機
５  ゴミ取り部
５１  ゴミ回収箱
５１１  上部レーン
５１２  下部レーン
５２  上スライダー
５２１  スライダー本体
５２２  上部ゴミ取りブラシ
５３  下スライダー
５３１  スライダー本体
５３２  下部ゴミ取りブラシ
５３５  ゴミ移動ブラシ
５４  スライダー駆動手段
５４１，５４２  駆動輪
５４３  駆動ベルト
５５  ゴミ保管部
６  フィルタ
７  電装品箱
８  フィルタ送り手段
８１  駆動軸
８２  駆動輪